(57)【特許請求の範囲】
【請求項１】
昇降路内を昇降するかごと、このかごと反対方向に昇降するつり合いおもりと、これらのかご、及びつり合いおもりの昇降を案内するガイドレールと、前記かご、及び前記つり合いおもりを連結し懸架する主索と、この主索を摩擦駆動する巻上機と、昇降路外部より前記巻上機のブレーキを開放するブレーキ解放手段とを有するエレベ−ター装置において、
前記かごの下部に配置されるかご下ベースを、強度部材であるかご下ベース本体の周囲に上部板、下部板、及び側面板を取付けて水を貯水可能な箱体とすると共に、一端がかご内操作盤内に配置され、他端が前記かご下ベースの前記上部板の上側に水を供給可能に接続される給水用パイプと、一端が前記かご下ベース下部に接続され、他端が停止弁に接続される排水用パイプとを設けたことを特徴とするエレベーター装置。
【請求項２】
前記かご内操作盤内に、かご下ベースの貯水量を計測する計測器を設けたことを特徴とする請求項１記載のエレベーター装置。
【発明の詳細な説明】
【技術分野】
【０００１】
本発明は、主索により互いに連結されたかご、及びつり合おもりを有するエレベーター装置に係り、特に、異常時にかごを強制降下させるエレベーター装置に関するものである。
【背景技術】
【０００２】
一般に、エレベーター装置にあっては、昇降路最上部に制御盤、及び巻上機などの機器がある。このため、何らかの異常により最上階でかごが停止した場合、かごが邪魔となり、復旧のために必要とされる制御盤、及び巻上機などの機器の調整ができなくなる。したがって、かごを一定の高さまで降下させ、かご上の作業空間を確保する必要がある。かごとつり合いおもりの質量関係は、一般的に、つり合いおもり質量の方がかご質量に比べて積載質量の半分重く設定されていることから、ブレーキ開放をしても、かごは降下せずに上昇してしまう。そこで、従来、異常時にかごを強制降下させる方法として、かごの上におもり、水、砂袋などのおもりを置くか、もしくは、かごの下またはかご下のつり合いくさりロープにおもりを取付け、つり合いおもり側よりかご側を重くし、次いで、ブレーキを開放し、かごを所定の位置まで降下させるものがある（例えば、特許文献１参照）。
【０００３】
また、かご、及びつり合いおもりに通常運転時から液体の入ったタンクを取付けると共に、それらのタンク間をホースで接続し、かつホースの途中に電磁弁、及び吸水ポンプを設け、異常時にかごを降下させる場合、電磁弁。及び吸水ポンプを動作し、かごとおもりに重量差を作り、かごを所定の位置まで降下させるようにしたものがある（例えば、特許文献２参照）。
【先行技術文献】
【特許文献】
【０００４】
【特許文献１】特開２０００−１６９０５５号公報
【特許文献２】特開２００６−３１２９５８号公報
【発明の概要】
【発明が解決しようとする課題】
【０００５】
しかしながら、前述したかごの上におもり、水、砂袋などのおもりを置く方法では、最上階でかごが停止した状態では、かごの上におもりを置く術がない。また、かご下へおもりを取付ける場合、建物の階高やおもりかご下構造によっては、乗場側の開口部からその位置まで作業員の手が届かないことがあると共に、届いたとしても開口部から身を乗り出しての作業となり、落下の恐れがあり非常に危険である。さらに、後述した通常運転時からかご、及びつり合いおもりに液体の入ったタンクを取付けるものでは、エレベーター装置の荷重にその分を見込んで設計をする必要があり、巻上機、及び主索などの懸垂部分の強度を上げる必要がある上に、電磁弁、及び吸水ポンプなど高価な部品を追加する必要があるといった問題があった。
【０００６】
本発明は、前述した従来技術における実状からなされたもので、その目的は、簡単な構造により、最上階で異常停止したかごを安全に強制降下させることのできるエレベーター装置を提供することにある。
【課題を解決するための手段】
【０００７】
前記の目的を達成するために、本発明は、昇降路内を昇降するかごと、このかごと反対方向に昇降するつり合いおもりと、これらのかご、及びつり合いおもりの昇降を案内するガイドレールと、前記かご、及び前記つり合いおもりを連結し懸架する主索と、この主索を摩擦駆動する巻上機と、昇降路外部より前記巻上機のブレーキを開放するブレーキ解放手段とを有するエレベ−ター装置において、  前記かごの下部に配置されるかご下ベースを、強度部材であるかご下ベース本体の周囲に上部板、下部板、及び側面板を取付けて水を貯水可能な箱体とすると共に、一端がかご内操作盤内に配置され、他端が前記かご下ベースの前記上部板の上側に水を供給可能に接続される給水用パイプと、一端が前記かご下ベース下部に接続され、他端が停止弁に接続される排水用パイプとを設けたことを特徴としている。
【０００８】
このように構成した本発明では、何らかの異常でかごが最上階で停止した場合、かご内操作盤を開け、外部の一般水道蛇口に接続されたホースを給水用パイプの一端に接続し、かご下ベース内に給水する。このようにして、かごとつり合いおもりに重量差を与えた状態で、ブレーキ解放手段により巻上機のブレーキを開放してかごを降下させ、この後、昇降路最上部に設けられる制御盤、及び巻上機などの機器を調整し、エレベーターを復旧する。復旧後は、かごを所定高さ位置まで下げ、かご下の排水用パイプに接続される停止弁の先にホースを接続し、かご下ベース内の水を外部へ排水する。これによって、簡単な構造により、最上階で異常停止したかごを強制降下させることができる。また、従来のように開口部からかごにおもりを取付けるような作業を要さないことから、安全にかごを下降させることもできる。
【０００９】
また、本発明は、前記かご内操作盤内に、かご下ベースの貯水量を計測する計測器を設けたことを特徴としている。
【００１０】
このように構成した本発明では、給水時に、計測器を介してかご下ベースの貯水量を把握できるため、かご下ベースから水があふれて機器が水に浸るような事態を防ぐことができる。
【発明の効果】
【００１１】
本発明によれば、簡単な構造により、最上階で異常停止したかごを強制降下させることができる。すなわち、かご、及びつり合いおもりの設定荷重を大きくすることを要することがないと共に、高価な部品を要することがないことから、ひいては大幅なコスト増加を要することなく、かごを必要時に強制下降させることのできるエレベーター装置とすることができる。さらに、従来のように開口部からかごにおもりを取付けるような作業を要さないことから、安全にかごを下降させることもできる。
【図面の簡単な説明】
【００１２】
【図１】本発明に係るエレベーター装置の一実施例を示す概略構成図である。
【図２】かご下ベース、給水用パイプ、及び排水用パイプの詳細図である。
【図３】かご内操作盤内に配置される給水用パイプの詳細図である。
【図４】排水手順を示す説明図である。
【図５】かご下ベースの防水構造を示す要部拡大図である。
【図６】かご下ベースの他の防水構造を示す要部拡大図である。
【発明を実施するための形態】
【００１３】
以下、本発明に係るエレベーター装置の実施例を図に基づき説明する。
【００１４】
エレベーター装置は、図１に示すように、昇降路１内でかご２とつり合いおもり３が主索４で互いに連結され、昇降路１の上部に配置された巻上機５により主索４を摩擦駆動し、かご２、及びつり合いおもり３を図示しないかご側ガイドレール、及びおもり側ガイドレールに沿って上下反対方向へ昇降する。また、エレベーター装置は、昇降路１の上部に配置された制御装置６により統括制御されると共に、かご２内には、かご内操作盤７が設けられ、かつこのかご内操作盤７は、釦の交換を可能とするため、また保守運転への切り替えを行うため、開閉可能構造となっている。なお、保守運転時には、前述した制御装置６に、昇降路１外部より巻上機５のブレーキを開放するブレーキ解放手段、例えば、外部操作装置８が接続される。
【００１５】
そして、本実施例のエレベーター装置は、かご２の下部に配置され、かご３の自重、及びかご３内の積載物の重量を支えるかご下ベース９を、水を貯水可能な箱体とすると共に、一端がかご内操作盤７内に配置され、他端がかご下ベース９上部に接続される給水用パイプ１０と、一端がかご下ベース９下部に接続され、他端が停止弁１１に接続される排水用パイプ１２とが設けられている。なお、給水用パイプ１０の他端はかご下ベース９の内部に水を供給可能に接続されていればよく、給水用パイプ１０の端部がかご下ベース９内部に位置してもよい。同様に、排水用パイプ１２の一端はかご下ベース９内部の水を排水可能に接続されていればよく、排水用パイプ１２の一端側端部がかご下ベース９内部に位置してもよい。さらに、排水用パイプ１２の他端が停止弁１１に接続されているとは、排水用パイプ１２の端部に停止弁１１を設ける構成ではなく、一端がかご下ベース９から水を排出可能に接続された排水パイプ１２のかご下ベース９から他端部までの間に停止弁１１が設けられていて、停止弁１１を解放することでかご下ベース９に供給された水を排出し、停止弁１１を締めることで供給された水の排出を停止できる構成であればよい。
【００１６】
かご下ベース９は、図２に示すように、強度部材であるかご下ベース本体の周囲に、上部板９ａ、下部板９ｂ、及び側面板９ｃ、９ｄを取付けて箱状の形状としてある。そして、上部板９ａの上側に給水パイプ１０が、下部板９ｂの下側に排水用パイプ１２が取付けられている。なお、下部板９ｂは、排水用パイプ１２側に向かって下り勾配を付けることで水の排水を容易に行うことができる。
【００１７】
給水パイプ１０は、図３に示すように、一般水道蛇口に接続されたホースＨ１を連結可能なホース取付け部１０ａと、このホース取付け部１０ａとかご下ベース９間に延設されるパイプ部１０ｂと、かご下ベース９の貯水量を計測する計測器１０ｃとを有している。計測器１０ｃは、パイプ部１０ｂと併設され、かご下ベース９が満水となり、パイプ部１０ｂまで水が上昇したときにその水位１０ｄを目視できるようにしたものである。
【００１８】
停止弁１１は、図２に示すように、その先端に、外部から延長されるホースＨ２を連結可能なホース取付け部１１ａが設けられる。
【００１９】
本実施例にあっては、最上階Ａ付近でかご２が異常停止したとき、かご２内の乗客を救出後、かご内操作盤７を開け、外部の一般水道蛇口１３に接続されたホースＨ１を給水用パイプ１０のホース取付け部１０ａに接続し、蛇口１３を開放する。水は給水用パイプ１０を通過してかご下ベース９内に貯水される。作業員は計測器１０ｃを確認しつつこの作業を行い、かご下ベース９が満水になった時点で水を止め、給水用パイプ１０からホースＨ１を外す。このようにしてかご下ベース９内に貯水された水１４がおもりとなって、つり合いおもり３側重量よりかご２側重量が重くなる。この状態で乗場側から外部操作装置８を操作し、巻上機５のブレーキを開放して、かご２を降下させ、かご２の上部に作業員が乗り込める位置でかご２を停止する。次いで、かご２の上部から制御装置６や巻上機５の調整、修理を実施してエレベーターを復旧する。
【００２０】
エレベーター復旧後、図４に示すように、階床Ｂからかご２下の停止弁１１が操作できる高さ位置まで、保守運転でかご２を下降する。かご２停止後、停止弁１１先端のホース取付け部１１ａに外部へ延長されるホースＨ２の一端を接続すると共に、ホースＨ２の他端を排水口１５に配置する。この状態で停止弁１１を開放し、かご下ベース９内の水１４を排水用パイプ１２を介して排出口１５に排出する。水１４の排出が完全に完了した後、停止弁１１を閉め、ホースＨ２をホース取付け部１１ａから取り外す。最後に、かご内操作盤７を閉めたことを確認し、エレベーターを通常運転状態に戻す。
【００２１】
本実施例によれば、簡単な構造により、最上階Ａで異常停止したかご２を強制降下させることができる。すなわち、かご２、及びつり合いおもり３の設定荷重を大きくすることを要することがないと共に、高価な部品を要することがないことから、ひいては大幅なコスト増加を要することなく、かご２を必要時に強制下降させることのできるエレベーター装置とすることができる。さらに、従来のように開口部からかご２におもりを取付けるような作業を要さないことから、安全にかご２を下降させることもできる。
【００２２】
なお、かご下ベース９の漏水防止を図るため、例えば、図５に示すように、上部板９ａ、下部板９ｂを、パッキン１６を挟んで固定ボルト１７により側面板９ｃ、９ｄに取付けると共に、上部板９ａと端部にフランジ１８を設けた給水パイプ１０との間にパッキン１９を挟んで固定ボルト２０で固定することができる。また、図６に示すように、上部板９ａ、下部板９ｂ、及び側面板９ｃ、９ｄをそれぞれ溶接２１により接続する共に、上部板９ａと給水パイプ１０とを溶接２２で接続することができる。
【符号の説明】
【００２３】
１  昇降路
２  かご
３  つり合いおもり
４  主索
５  巻上機
６  制御装置
７  かご内操作盤
８  外部操作装置（ブレーキ解放手段）
９  かご下ベース
９ａ  上部板
９ｂ  下部板
９ｃ、９ｄ  側面板
１０  給水用パイプ
１０ａ  ホース取付け部
１０ｂ  パイプ部
１０ｃ  計測器
１１  停止弁
１１ａ  ホース取付け部
１２  排水用パイプ
【図１】
0005611798.tif 000002
【図２】
0005611798.tif 000003
【図３】
0005611798.tif 000004
【図４】
0005611798.tif 000005
【図５】
0005611798.tif 000006
【図６】
0005611798.tif 000007